(57)【要約】【課題】断熱性及び気密性を良好に維持することができる自動販売機用扉体の支持構造を提供すること。【解決手段】本体キャビネット１０の内部に設けられた断熱構造の商品収容庫２３の前面開口の少なくとも一部を覆う態様で配設される断熱構造の下部内扉４０ｂの支持構造であって、本体キャビネット１０に取り付けられ、かつ上下方向に沿って延在する基部５１と、基部５１の延在端部より前方に向けて延在し、かつ下部内扉４０ｂの下端面の少なくとも一部に接して下部内扉４０ｂを載置させる載置部５２と、載置部５２の前端より上方に向けて延在し、載置部５２に載置された下部内扉４０ｂの前方への移動を規制する規制部５３とを有する下端支持部材５０を備えたものである。【選択図】図４
2014010555.tif 000002
【特許請求の範囲】
【請求項１】
自動販売機本体の内部に設けられた断熱構造の商品収容庫の前面開口の少なくとも一部を覆う態様で配設される断熱構造の自動販売機用扉体の支持構造であって、
前記自動販売機本体に取り付けられ、かつ上下方向に沿って延在する基部と、
前記基部の延在端部より前方に向けて延在し、かつ前記自動販売機用扉体の下端面の少なくとも一部に接して該自動販売機用扉体を載置させる載置部と、
前記載置部の前端より上方に向けて延在し、前記載置部に載置された自動販売機用扉体の前方への移動を規制する規制部と
を有する下端支持部材を備えたことを特徴とする自動販売機用扉体の支持構造。
【請求項２】
前記自動販売機本体に上下方向に沿って変位可能に配設され、かつ下方に向けて変位する場合には、自身に形成された支持溝が前記自動販売機用扉体の上端部において自身に直交する方向に延在する態様で設けられた係合片の係合溝に進入することで、前記支持溝に前記係合片の一部が相対的に進入することを許容しつつ自身の一部が前記係合溝に進入することにより前記自動販売機用扉体の前後方向及び左右方向の移動を規制して支持する上端支持部材を備えたことを特徴とする請求項１に記載の自動販売機用扉体の支持構造。
【請求項３】
前記下端支持部材は、左右一対となる態様で設けられており、互いの間に前記自動販売機用扉体において前記下端面より下方に向けて突出する態様で設けられたガイド部材の進入を許容することで、該自動販売機用扉体の左右方向への移動を規制することを特徴とする請求項１又は請求項２に記載の自動販売機用扉体の支持構造。
【請求項４】
前記下端支持部材は、前記載置部が前記自動販売機用扉体の表面に生じた結露水の案内面を構成することを特徴とする請求項１〜３のいずれか１つに記載の自動販売機用扉体の支持構造。
【発明の詳細な説明】
【技術分野】
【０００１】
本発明は、自動販売機本体の内部に設けられた断熱構造の商品収容庫の前面開口の少なくとも一部を覆う態様で配設される断熱構造の自動販売機用扉体の支持構造に関するものである。
【背景技術】
【０００２】
図１２は、従来の自動販売機の内部構造を示す斜視図である。この図１２に示すように、例えば缶入り飲料やペットボトル入り飲料等の商品を販売する自動販売機においては、自動販売機本体１００の内部に断熱構造の商品収容庫２３０が設けられているとともに、この商品収容庫２３０の内部に商品を収納するための商品収納ラック１０１が設けられており、商品収容庫２３０の内部雰囲気を冷却、若しくは加熱することによって商品収納ラック１０１に収納された商品を所望の温度状態に維持するようにしている。
【０００３】
このような自動販売機本体１００の前面開口は、該自動販売機本体１００の左側縁部に開閉移動可能に配設された外扉３００により開閉されるものであり、商品収容庫２３０の前面開口は、内扉４００と称される断熱構造の扉体により開閉されるものである。このような扉体は、上下に分割されて構成されており、上側の扉体４０１は、商品収容庫２３０の前面開口の上部側を開閉させるものであり、外扉３００の裏面に係止されて外扉３００とともに開閉移動するものである。
【０００４】
一方、下側の扉体４０２は、商品収容庫２３０の前面開口の下部側を開閉させるものであり、自動販売機本体１００の左側縁部における鉛直方向に沿って延在する軸部の中心軸回りに開閉移動するものである。この下側の扉体４０２には、商品収容庫２３０の商品収納ラック１０１から払い出された商品を通過させるための商品搬出口４１０が設けられている（例えば、特許文献１参照）。
【先行技術文献】
【特許文献】
【０００５】
【特許文献１】特許第３７８３５９９号公報
【発明の概要】
【発明が解決しようとする課題】
【０００６】
上述したような自動販売機においては、内扉４００を構成する下側の扉体４０２は左端部が回転軸端となり、右端部が自由端となっているため、自動販売機の左右幅の寸法、すなわち機械幅の増大に伴い、扉体自身の自重やガタ等により、自由端側（右端部側）が下方に垂れ下がる、いわゆる肩下がりが発生してしまい、これにより気密性及び断熱性を低下させてしまう虞れがあった。特に、上述したような自動販売機では、下側の扉体４０２が閉成時となる場合には、自由端となる右端部が自動販売機本体１００の右側部に配設された断熱パネルと重なることにより断熱性能を発揮することとなるが、該扉体４０２の開閉軌跡が自動販売機の左右幅を超えてはならないため、該扉体４０２の右端部と上記断熱パネルとの重なり部分を十分に確保することが困難であるというのが実情である。そのため、上述したような肩下がりが発生してしまうと、気密性及び断熱性の低下は著しいものとなってしまう。
【０００７】
本発明は、上記実情に鑑みて、断熱性及び気密性を良好に維持することができる自動販売機用扉体の支持構造を提供することを目的とする。
【課題を解決するための手段】
【０００８】
上記目的を達成するために、本発明の請求項１に係る自動販売機用扉体の支持構造は、自動販売機本体の内部に設けられた断熱構造の商品収容庫の前面開口の少なくとも一部を覆う態様で配設される断熱構造の自動販売機用扉体の支持構造であって、前記自動販売機本体に取り付けられ、かつ上下方向に沿って延在する基部と、前記基部の延在端部より前方に向けて延在し、かつ前記自動販売機用扉体の下端面の少なくとも一部に接して該自動販売機用扉体を載置させる載置部と、前記載置部の前端より上方に向けて延在し、前記載置部に載置された自動販売機用扉体の前方への移動を規制する規制部とを有する下端支持部材を備えたことを特徴とする。
【０００９】
また、本発明は、上記自動販売機用扉体の支持構造において、前記自動販売機本体に上下方向に沿って変位可能に配設され、かつ下方に向けて変位する場合には、自身に形成された支持溝が前記自動販売機用扉体の上端部において自身に直交する方向に延在する態様で設けられた係合片の係合溝に進入することで、前記支持溝に前記係合片の一部が相対的に進入することを許容しつつ自身の一部が前記係合溝に進入することにより前記自動販売機用扉体の前後方向及び左右方向の移動を規制して支持する上端支持部材を備えたことを特徴とする。
【００１０】
また、本発明は、上記自動販売機用扉体の支持構造において、前記下端支持部材は、左右一対となる態様で設けられており、互いの間に前記自動販売機用扉体において前記下端面より下方に向けて突出する態様で設けられたガイド部材の進入を許容することで、該自動販売機用扉体の左右方向への移動を規制することを特徴とする。
【００１１】
また、本発明は、上記自動販売機用扉体の支持構造において、前記下端支持部材は、前記載置部が前記自動販売機用扉体の表面に生じた結露水の案内面を構成することを特徴とする。
【発明の効果】
【００１２】
本発明の自動販売機用扉体の支持構造によれば、基部を通じて自動販売機本体に取り付けられた下端支持部材は、基部の延在端部より前方に向けて延在する載置部を通じて自動販売機用扉体を載置させ、かつ載置部の前端より上方に向けて延在する規制部を通じて、載置部に載置された自動販売機用扉体の前方への移動を規制することで自動販売機用扉体を支持しているので、自動販売機の左右幅（機械幅）の寸法を増大させたとしてもいわゆる肩下がりが発生する虞れがなく、しかも自動販売機用扉体の開閉軌跡を考慮する必要がないので、自動販売機本体に敷設された断熱パネルとの重なり部分を十分に確保することができる。従って、断熱性及び気密性を良好に維持することができるという効果を奏する。
【図面の簡単な説明】
【００１３】
【図１】図１は、本発明の実施の形態である自動販売機用扉体の支持構造が適用された自動販売機の内部構造を示す断面側面図である。
【図２】図２は、図１に示した下部内扉を示す斜視図である。
【図３】図３は、図１に示した自動販売機の内部構造を正面側から概念的に示した概念図である。
【図４】図４は、図１に示した自動販売機の要部を拡大して示す拡大断面側面図である。
【図５】図５は、本体キャビネットの左側部の前端側内部に取り付けられた左側の上端支持部材を示す斜視図である。
【図６】図６は、上端支持部材の支持片と、下部内扉に配設された係合片との係合手順を示す説明図である。
【図７】図７は、下部内扉の変形例の斜視図である。
【図８】図８は、下端支持部材の変形例の正面図である。
【図９】図９は、図８のＡ−Ａ線断面図である。
【図１０】図１０は、図８のＢ−Ｂ線断面図である。
【図１１】図１１は、図８のＣ−Ｃ線断面図である。
【図１２】図１２は、従来の自動販売機の内部構造を示す斜視図である。
【発明を実施するための形態】
【００１４】
以下に添付図面を参照して、本発明に係る自動販売機用扉体の支持構造の好適な実施の形態について詳細に説明する。
【００１５】
図１は、本発明の実施の形態である自動販売機用扉体の支持構造が適用された自動販売機の内部構造を示す断面側面図である。ここで例示する自動販売機は、例えば缶入り飲料やペットボトル入り飲料等の商品を冷却、若しくは加熱した状態で販売するもので、本体キャビネット１０、外扉３０及び内扉４０を備えている。
【００１６】
本体キャビネット１０は、前面が開口した直方状の形態を成す自動販売機本体である。この本体キャビネット１０には、天部１１、底部１２、背部１３及び両側部１４に敷設された断熱パネル２１に囲繞される態様で商品収容室２０が画成されている。そして、かかる商品収容室２０の内部に例えば２つの断熱仕切板２２（図３参照）によって仕切られた３つの独立した商品収容庫２３が左右に並んだ態様で設けられている。これら商品収容庫２３は、缶入り飲料やペットボトル入り飲料等の商品を所望の温度に維持した状態で収容するためのもので、断熱構造を有している。
【００１７】
上記商品収容庫２３には、商品収納ラック１、搬出機構２及び搬出シュータ３が設けられている。商品収納ラック１は、商品を上下方向に沿って並ぶ態様で収納するためのものである。搬出機構２は、商品収納ラック１の下部に設けられており、この商品収納ラック１に収納された商品群の最下位にある商品を１つずつ搬出するためのものである。搬出シュータ３は、搬出機構２から搬出された商品を外扉３０に設けられた後述する商品取出口３１に導くためのものであり、前方側に向けて漸次下方に傾斜する態様で配設されている。
【００１８】
そして搬出シュータ３の下方域には蒸発器５ａ及びヒータＨが配設されている。蒸発器５ａは背面ダクトＤの前面側に配設されており、機械室２４に配設された圧縮機５ｂ、凝縮器５ｃ、膨張機構５ｄと冷媒配管５ｅを通じて順次接続されて冷凍サイクル５を形成している。圧縮機５ｂは、吸引口を通じて冷媒を吸引し、吸引した冷媒を圧縮して高温高圧の状態（高温高圧冷媒）にして吐出口より吐出するものである。凝縮器５ｃは、通過する冷媒を凝縮させるものである。より詳細に説明すると、圧縮機５ｂで圧縮され、かつ吐出口から吐出されて冷媒配管５ｅを通じて送出された冷媒を周囲空気と熱交換させて凝縮させるものである。膨張機構５ｄは、通過する冷媒を減圧して断熱膨張させるものである。
【００１９】
これら冷凍サイクル５で冷媒を循環させることにより、圧縮機５ｂで圧縮された冷媒が凝縮器５ｃで凝縮され、その後に膨張機構５ｄで断熱膨張されて蒸発器５ａを通過する。冷媒が蒸発器５ａを通過する際に、該蒸発器５ａが配設された商品収容庫２３の内部空気との間で熱交換が行われて、自身が蒸発して内部空気を冷却する。蒸発した冷媒は圧縮機５ｂに吸引される。
【００２０】
冷却された内部空気は庫内送風ファンＦの駆動により商品収容庫２３の内部を移動し、これにより該商品収容庫２３の商品収納ラック１に収納された商品は所望の温度（例えば５℃）に冷却されることになる。
【００２１】
ヒータＨは、蒸発器５ａの前面側に配設されている。このヒータＨは通電状態となることにより周囲空気を加熱するものである。
【００２２】
ヒータＨにより加熱された空気は、庫内送風ファンＦの駆動により商品収容庫２３の内部を移動し、これにより該商品収容庫２３の商品収納ラック１に収納された商品は所望の温度（例えば５５℃）に加熱されることになる。
【００２３】
外扉３０は、本体キャビネット１０の前面開口を覆うためのもので、本体キャビネット１０の左側縁部に開閉移動可能に配設されている。外扉３０の前面には、商品を販売する際に必要となるディスプレイウィンドウ、商品選択ボタン、紙幣挿通口、硬貨投入口、返却レバー、金額表示器、硬貨返却口が設けられているとともに（いずれも図示せず）、商品取出口３１が設けられている。
【００２４】
また、この外扉３０には商品取出部３２が設けられている。商品取出部３２は、商品収容庫２３における商品収納ラック１から払い出されて内扉４０の後述する商品搬出口４１を通過した商品を収容し、かつ商品取出口３１を通じて該商品を取出可能にするものである。
【００２５】
内扉４０は、商品収容庫２３（商品収容室２０）の前面開口を覆うための断熱扉である。この内扉４０は、上下に分割された構造を有しており、商品収容庫２３（商品収容室２０）の前面開口の上部側を覆う上部内扉４０ａと、商品収容庫２３（商品収容室２０）の前面開口の下部側を覆う下部内扉（自動販売機用扉体）４０ｂとから構成されている。
【００２６】
上部内扉４０ａは、外扉３０の内方となる位置において本体キャビネット１０の左側前端部に開閉可能に配設されており、図示せぬ取付部材を介して外扉３０の裏面に取り付けられている。この上部内扉４０ａは、外扉３０とともに開閉移動するものである。
【００２７】
図２は、図１に示した下部内扉４０ｂを示す斜視図である。この図２に示すように、下部内扉４０ｂは、各商品収容庫２３に対応した部位に商品搬出口４１を備えており、商品収納ラック１から商品が搬出シュータ３に払い出された場合に、商品取出口３１を通じて商品を商品取出部３２に搬出することが可能である。この図２は示していないが、商品搬出口４１は、商品搬出扉４２により開閉されるものである。
【００２８】
このような下部内扉４０ｂは、下端部の前面が下方に向かうに連れて漸次後方に傾斜する形態を成しており、下端面の中央部分にはガイド部材４３が取り付けられている。ガイド部材４３は、下部内扉４０ｂの前面に生じた結露水を後述する樋部材６に案内するものである。
【００２９】
かかる下部内扉４０ｂの上端部の左右両側面には、左右一対となる係合片４４が配設されている。これら係合片４４は、前方に向けて延在しており、下部内扉４０ｂの前面よりも前方側の部位に上方に開口する係合溝４４ａが形成されている。
【００３０】
次に、上記下部内扉４０ｂの支持構造について説明する。図３は、図１に示した自動販売機の内部構造を正面側から概念的に示した概念図であり、図４は、図１に示した自動販売機の要部を拡大して示す拡大断面側面図である。これら図３及び図４に示すように、自動販売機の本体キャビネット１０には、下端支持部材５０及び上端支持部材６０が取り付けられている。
【００３１】
下端支持部材５０は、左右一対となる態様で本体キャビネット１０の底部１２の前端部に取り付けられている。これら下端支持部材５０の互いの離間距離は、図３中の二点鎖線で示す下部内扉４０ｂに設けられたガイド部材４３の左右方向の長さよりも僅かに大きいものであり、これらの間にガイド部材４３の進入を許容するものである。
【００３２】
下端支持部材５０は、金属の板状体を屈曲させて縦断面形状が略Ｚ字状と成るように形成されたもので、基部５１と、載置部５２と、規制部５３とが連続して一体的に形成されて構成されている。
【００３３】
基部５１は、上下方向に沿って延在する部位であり、本体キャビネット１０の底部１２の前端部の裏面側にネジ部材Ｎを介して取り付けられている。尚、該底部１２の前端部の前面側には、該ネジ部材Ｎにより樋部材６が取り付けられている。樋部材６は、ガイド部材４３から案内された結露水を所定の蒸発皿（図示せず）に導くためのものである。
【００３４】
載置部５２は、基部５１の上方延在端部より前方に向けて延在する部位であり、下部内扉４０ｂの下端面の一部に接して該下部内扉４０ｂを載置させるものである。
【００３５】
規制部５３は、載置部５２の前端より上方に向けて延在する部位であり、より詳細には、上方に向かうに連れて漸次前方に傾斜する態様で延在している。この規制部５３の傾斜角度は、下部内扉４０ｂの下端部の傾斜角度に略等しいものである。かかる規制部５３は、載置部５２に載置された下部内扉４０ｂの前方への移動を規制するものである。尚、図４中の符号Ｋは、搬出シュータ３を支持する鋼板の前端面に貼付されたクッション材である。
【００３６】
上端支持部材６０は、左右一対となる態様で本体キャビネット１０の両側部１４の前端側内部に取り付けられている。図５は、本体キャビネット１０の左側部の前端側内部に取り付けられた左側の上端支持部材６０を示す斜視図である。尚、右側の上端支持部材６０は、左側の上端支持部材６０と左右対象の構成となるだけであるので、ここでは左側の上端支持部材６０のみを説明し、右側の上端支持部材６０の説明は割愛する。
【００３７】
左側の上端支持部材６０は、金属の板状体を屈曲等させて構成されたものであり、基体部６１と支持片６２とが連続して一体的に形成されて構成されている。
【００３８】
基体部６１は、上下方向が長手方向となる長尺状の板状体であり、上下方向が長手方向となる２つの長孔６１ａが前後に形成されている。この基体部６１は、本体キャビネット１０の左側部の前端側内部に取り付けられたピン部材Ｐがそれぞれの長孔６１ａを挿通することで、上下方向に沿って変位可能に配設されている。
【００３９】
支持片６２は、基体部６１の上端側後端部より右方に向けて延在する部位である。つまり、支持片６２は、上記係合片４４と直交する方向に沿って延在している。この支持片６２には、下方に開口する支持溝６２ａが形成されている。
【００４０】
これら下端支持部材５０及び上端支持部材６０を備える支持構造は、次のようにして下部内扉４０ｂを支持する。
【００４１】
下端支持部材５０は、他方の下端支持部材５０との間にガイド部材４３が進入して下部内扉４０ｂの下端面の一部が載置部５２に接することで、該下部内扉４０ｂが左右方向に沿って移動することを規制しつつ、規制部５３により該下部内扉４０ｂが前後方向に沿って移動することを規制して、該下部内扉４０ｂを支持することができる。
【００４２】
上端支持部材６０は、それぞれが上方に向けて変位することで下部内扉４０ｂが立設状態で配置されることを許容し、その後に下方に向けて変位することで、図６の（ａ）に示すように、支持片６２が下方に向けて変位する。そして、下方に向けての変位により支持片６２の支持溝６２ａが係合片４４の係合溝４４ａに進入した後、図６の（ｂ）に示すように、支持溝６２ａに係合片４４の一部が相対的に進入することを許容しつつ自身の一部が係合溝４４ａに進入することで支持片６２は係合片４４と係合状態となる。これにより上端支持部材６０は、下部内扉４０ｂの上端部の前後方向及び左右方向の移動を規制して支持することができる。
【００４３】
以上説明したように、本発明の実施の形態である支持構造においては、下端支持部材５０が、載置部５２を通じて下部内扉４０ｂを載置させ、かつ規制部５３を通じて下部内扉４０ｂが前後方向に沿って移動することを規制して下部内扉４０ｂを支持しているので、自動販売機の左右幅（機械幅）の寸法を増大させたとしてもいわゆる肩下がりが発生する虞れがなく、しかも下部内扉４０ｂの開閉軌跡を考慮する必要がないので、本体キャビネット１０に敷設された断熱パネル２１との重なり部分を十分に確保することができる。
【００４４】
従って、本実施の形態である支持構造によれば、断熱性及び気密性を良好に維持することができる。
【００４５】
また、上記支持構造によれば、上端支持部材６０が、支持片６２と係合片４４とが係合状態になることで下部内扉４０ｂの上端部の前後方向及び左右方向の移動を規制して支持するので、下部内扉４０ｂをより確実に支持することができ、これによっても断熱性及び気密性を良好に維持することができる。
【００４６】
また、上記支持構造によれば、下端支持部材５０が左右一対となる態様で設けられており、互いの間に下部内扉４０ｂのガイド部材４３の進入を許容して支持するので、下部内扉４０ｂの左右方向の移動を規制して支持することができ、これによっても断熱性及び気密性を良好に維持することができる。
【００４７】
以上、本発明の好適な実施の形態について説明したが、本発明はこれに限定されるものではなく、種々の変更を行うことができる。
【００４８】
図７〜図１１は、それぞれ本発明の自動販売機用扉体（下部内扉）の支持構造の変形例を説明するためのものであり、図７は、下部内扉の変形例の斜視図であり、図８は、下端支持部材の変形例の正面図であり、図９は、図８のＡ−Ａ線断面図であり、図１０は、図８のＢ−Ｂ線断面図であり、図１１は、図８のＣ−Ｃ線断面図であり、図尚、上述した実施の形態で説明した構成要素と同一の構成要素には同一の符号を付してその説明を適宜省略する。
【００４９】
図７に示すように、下部内扉４０ｂ′の下端部における中央域４５ａの下端面が水平方向に沿って延在しており、該下端部における右側域４５ｂの下端面が中央域４５ａの下端面に連続しつつ右方に向かうに連れて漸次上方に向けて傾斜する態様で延在しており、該下端部における左側域４５ｃの下端面が中央域４５ａの下端面に連続しつつ左方に向かうに連れて漸次上方に向けて傾斜する態様で延在している。
【００５０】
支持構造を構成する下端支持部材５０′は、本体キャビネット１０の底部１２の前端部の全長に亘って取り付けられており、左右方向の延在長さが下部内扉４０ｂ′の左右方向の延在長さよりも僅かに大きいものである。
【００５１】
このような下端支持部材５０′は、金属の板状体を屈曲させて形成されたもので、基部５４と、載置部５５と、規制部５６とが連続して一体的に形成されて構成されている。
【００５２】
基部５４は、上下方向に沿って延在する部位であり、本体キャビネット１０の底部１２の前端部の裏面側にネジ部材Ｎを介して取り付けられている。この基部５４の上端部は、上端縁部が前方に向けて延在した後に下方に向けて延在する態様で折り曲げられている。
【００５３】
載置部５５は、基部５４の延在端部より前方に向けて延在する部位であり、下部内扉４０ｂ′の下端面の一部に接して該下部内扉４０ｂ′を載置させるものである。
【００５４】
規制部５６は、載置部５５の前端より上方に向けて延在する部位であり、より詳細には、上方に向かうに連れて漸次前方に傾斜する態様で延在している。この規制部５６の傾斜角度は、下部内扉４０ｂ′の下端部の傾斜角度に略等しいものである。かかる規制部５６は、載置部５５に載置された下部内扉４０ｂ′の前方への移動を規制するものである。
【００５５】
このような下端支持部材５０′においては、内扉４０の下端部の中央域４５ａに対応する中央部５０ａは、基部５４の上端部、載置部５５及び規制部５６が水平方向に沿って延在しており、該下端部の右側域４５ｂに対応する右側部５０ｂは、基部５４の上端部、載置部５５及び規制部５６が上記右側域４５ｂの傾斜角度と略同じ傾斜角度で右方に向かうに連れて漸次上方に向けて傾斜しており、該下端部の左側域４５ｃに対応する左側部５０ｃは、基部５４の上端部、載置部５５及び規制部５６が上記左側域４５ｃの傾斜角度と略同じ傾斜角度で左方に向かうに連れて漸次上方に向けて傾斜している。そして、中央部５０ａにおける載置部５５には、貫通孔５５ａが形成されている。
【００５６】
このような下端支持部材５０′は、載置部５５に下部内扉４０ｂ′の下端面が接することで該下部内扉４０ｂ′を載置し、規制部５６により前後方向に沿って移動を規制することになるが、中央部５０ａ、右側部５０ｂ及び左側部５０ｃにおける載置部５５が下部内扉４０ｂ′の表面に生じた結露水の案内面を構成している。つまり、下部内扉４０ｂ′の表面に生じた結露水は、下方に向けて流れた後、載置部５５の上面を流れ、貫通孔５５ａを介して樋部材６に滴下されることになる。
【００５７】
このような構成の支持構造においても、自動販売機の左右幅（機械幅）の寸法を増大させたとしてもいわゆる肩下がりが発生する虞れがなく、しかも下部内扉４０ｂ′の開閉軌跡を考慮する必要がないので、本体キャビネット１０に敷設された断熱パネル２１との重なり部分を十分に確保することができ、断熱性及び気密性を良好に維持することができる。
【００５８】
上述した実施の形態では、下端支持部材５０及び上端支持部材６０で支持構造を構成していたが、本発明においては、上端支持部材は必須の構成要素ではなく、自動販売機用扉体の上端側を保持する形態については特に限定されない。
【符号の説明】
【００５９】
１０  本体キャビネット
１２  底部
２０  商品収容室
２３  商品収容庫
３０  外扉
３１  商品取出口
３２  商品取出部
４０  内扉
４０ａ  上部内扉
４０ｂ  下部内扉（自動販売機用扉体）
４１  商品搬出口
４２  商品搬出扉
４３  ガイド部材
４４  係合片
４４ａ  係合溝
５０  下端支持部材
５１  基部
５２  載置部
５３  規制部
６０  上端支持部材
６１  基体部
６１ａ  長孔
６２  支持片
６２ａ  支持溝
【図１】
2014010555.tif 000003
【図２】
2014010555.tif 000004
【図３】
2014010555.tif 000005
【図４】
2014010555.tif 000006
【図５】
2014010555.tif 000007
【図６】
2014010555.tif 000008
【図７】
2014010555.tif 000009
【図８】
2014010555.tif 000010
【図９】
2014010555.tif 000011
【図１０】
2014010555.tif 000012
【図１１】
2014010555.tif 000013
【図１２】
2014010555.tif 000014